(57)【要約】【課題】周波数帯域をスキャンすること無く、選局中に受信不可になった番組と同じ番組を短時間で自動的に選局できるデジタル放送受信装置を提供する。【解決手段】このデジタル放送受信装置は、チューナ部１００、デマルチプレクス部１０１および映像・音声デコード部１０２から得られる情報に基づき、選局中のトランスポートストリームが受信不可か否かを検出する受信不可検出部１０７と、各系列局と各系列局が放送するトランスポートストリームとの対応関係を格納した周波数リストデータベース部１０６と、受信不可検出部１０７が受信不可を検出した場合に、周波数リストデータベース部１０６の上記の対応関係を参照し、各系列局が放送するトランスポートストリームのうち、その受信不可になったトランスポートストリームと同じ系列局のトランスポートストリームを優先的にチューナ部１００に選局させる選局処理部１１１とを備える。【選択図】図１
2008288765.tif 000002
【特許請求の範囲】
【請求項１】
放送波からトランスポートストリームを選局するチューナ部と、
前記チューナ部で選局されたトランスポートストリームから映像・音声情報を抽出するデマルチプレクス部と、
前記映像・音声情報を復号する映像・音声デコード部と、
前記チューナ部、前記デマルチプレクス部および前記映像・音声デコード部から得られる情報に基づき、選局中のトランスポートストリームの受信状態が受信不可か否かを検出する受信不可検出部と、
各系列局とそれら各系列局が放送するトランスポートストリームとの対応関係を格納した周波数リストデータベース部と、
前記受信不可検出部が受信不可を検出した場合に、前記周波数リストデータベース部に格納された前記対応関係を参照して、各系列局が放送するトランスポートストリームのうち、その受信不可になったトランスポートストリームと同じ系列局のトランスポートストリームを優先的に前記チューナ部に選局させる選局処理部と、
を備えることを特徴とするデジタル放送受信装置。
【請求項２】
前記周波数リストデータベース部は、前記対応関係をダウンロードして取得することで、前記対応関係の内容を更新することを特徴とする請求項１記載のデジタル放送受信装置。
【請求項３】
前記対応関係は、各送信所とその送信所から送信されるトランスポートストリームのトランスポートストリーム識別および物理チャンネルとの対応関係を含み、
前記選局処理部は、
前記受信不可検出部が受信不可を検出した場合に、前記周波数リストデータベース部の前記対応関係を参照し、その受信不可になったトランスポートストリームのトランスポートストリーム識別および物理チャンネルに基づき、その受信不可になったトランスポートストリームを送信していた送信所を特定する受信中送信所特定部と、
近隣送信所情報を格納した所定の近隣送信所データベース部を参照して、前記受信中送信所特定部により特定された送信所の近隣に在る近隣送信所を特定し、それらの中から、前記受信不可になったトランスポートストリームと同じ系列局のトランスポートストリームを送信する近隣送信所を抽出する近隣送信所抽出部と、
前記近隣送信所抽出部により抽出された近隣送信所から送信される前記トランスポートストリームを前記チューナ部に選局させる選局制御部と、
を備える特徴とする請求項１に記載のデジタル放送受信装置。
【請求項４】
前記近隣送信所情報は、送信所所在地郵便番号から各送信所間の距離をデータベース化したものであり、
前記近隣送信所抽出部は、前記近隣送信所情報を参照し、前記受信中送信所特定部により特定された送信所の送信所所在地郵便番号に基づき、その送信所の近隣に在る近隣送信所を特定することを特徴とする請求項１〜３の何れかに記載のデジタル放送受信装置。
【請求項５】
前記近隣送信所が抽出した各近隣送信所には選局優先順位が対応付けられており、
前記選局制御部は、前記近隣送信所抽出部が近隣送信所を複数抽出した場合は、それらの中で前記選局優先順位の最も高いものが送信する当該トランスポートストリームから順に前記チューナ部に選局させ、最初に受信できたトランスポートストリームを送信する近隣送信所の選局優先順位を、それらの中で最も高くなる様に変更することを特徴とする請求項３に記載のデジタル放送受信装置。
【発明の詳細な説明】
【技術分野】
【０００１】
本発明は、移動体に搭載可能なデジタル放送受信装置に関するものである。
【背景技術】
【０００２】
従来のデジタル放送受信装置においては、受信レベルが低下する前に視聴していた放送局の番組と、別の放送局が現在放送中の番組とを関連付ける情報が送信されていない、または送信されていてもデジタル放送受信装置がその情報を利用していなかったため、受信レベルが低下する前に視聴していた番組を継続して視聴したい場合でも、新たに受信可能になった放送局の番組の中から視聴者自身が番組を選択しなければならないという課題を有していた。
【０００３】
この改善策として、受信レベルが低下して番組視聴が継続できなくなると、チューナ部を自動制御して周波数帯域の全範囲をスキャンして受信可能な別の放送局を検索し、受信可能な放送局が有れば、その放送局が放送する番組情報の中からその放送局が属する系列局情報を取得し、受信レベルの低下前に視聴していた放送局と同じ系列局であれば、その放送局を選局するようにしている。（例えば、特許文献１  請求項１参照。）
【０００４】
【特許文献１】特開２００４−１４０６９０号公報（請求項１、第１図）
【発明の開示】
【発明が解決しようとする課題】
【０００５】
しかしながら、上記の改善策では、受信レベルが低下して番組視聴が継続できなくなると、毎回チューナを自動制御して周波数帯域の全範囲をスキャンして系列局を検索するため、番組視聴が中断される時間が長い点という欠点がある。
【０００６】
そこで、この発明の課題は、周波数帯域をスキャンすること無く、受信レベルが低下して番組視聴が継続できなくなった番組と同じ番組を短時間で自動的に選局できるデジタル放送受信装置を提供することにある。
【課題を解決するための手段】
【０００７】
上記課題を解決する為に、本発明の第１の形態は、放送波からトランスポートストリームを選局するチューナ部と、前記チューナ部で選局されたトランスポートストリームから映像・音声情報を抽出するデマルチプレクス部と、前記映像・音声情報を復号する映像・音声デコード部と、前記チューナ部、前記デマルチプレクス部および前記映像・音声デコード部から得られる情報に基づき、選局中のトランスポートストリームの受信状態が受信不可か否かを検出する受信不可検出部と、各系列局とそれら各系列局が放送するトランスポートストリームとの対応関係を格納した周波数リストデータベース部と、前記受信不可検出部が受信不可を検出した場合に、前記周波数リストデータベース部に格納された前記対応関係を参照して、各系列局が放送するトランスポートストリームのうち、その受信不可になったトランスポートストリームと同じ系列局のトランスポートストリームを優先的に前記チューナ部に選局させる選局処理部とを備えるものである。
【発明の効果】
【０００８】
本発明の第１の形態によれば、選局中のトランスポートストリーム（番組）が受信不可になった場合に、周波数リストデータベース部を参照して、各系列局が放送するトランスポートストリームのうち、その受信不可になったトランスポートストリームと同じ系列局のトランスポートストリームを優先的に選局するので、周波数帯域をスキャンすること無く、受信不可になった番組と同じ番組を短時間で自動的に選局できる。
【発明を実施するための最良の形態】
【０００９】
実施の形態１．
この実施の形態に係るデジタル放送受信装置は、各放送局の周波数情報等を含む周波数リストをダウンロードして保存し、視聴中の番組が受信不可になった際に、前記保存した周波数リストに基づき受信不可になった番組を送信していた送信所を特定し、その送信所の隣接の近隣送信所から送信される番組のうち、当該受信不可になった番組を放送していた放送局と同じ系列局関係にある放送局から送信される番組を選局優先順位に従って選局することで、番組視聴中断時間の短縮を実現するものである。
【００１０】
このデジタル放送受信装置は、図１の様に、アンテナ１１３と、チューナ部１００と、デマルチプレクス部１０１と、映像・音声デコード部１０２と、映像表示部１０３と、音声出力部１０４と、周波数リスト取得部１０５と、周波数リストデータベース部１０６と、受信不可検出部１０７と、近隣送信所データベース部１１０と、選局処理部１１２とを備えている。
【００１１】
チューナ部１００は、アンテナ１１３で受信したデジタル放送（放送波）に対し、選局、復調、誤り訂正を行って所望の番組に対応するトランスポートストリームを抽出してデマルチプレクス部１０１に出力する。またチューナ部１００は、受信信号の受信レベル、Ｃ／Ｎ、ＰＬＬロック情報、フレームロック情報および誤り率の情報等を受信不可検出情報として受信不可検出部１０７に通知する。
【００１２】
デマルチプレクス部１０１は、チューナ部１００からのトランスポートストリームに対し、それに含まれるＰＳＩ情報（Proguramu Specific Information:プログラム仕様情報）およびＳＩ情報（Service Information:番組情報）から番組情報等を抽出して所定のメモリに保存する。そしてデマルチプレクス部１０１は、その抽出したＰＳＩ情報およびＳＩ情報から映像・音声パケット（映像・音声情報）のＰＩＤ値を取得し、それら各ＰＩＤ値に基づき映像・音声パケットのフィルタリングを行って、その映像・音声パケットを映像・音声デコード部１０２に出力する。
【００１３】
またデマルチプレクス部１０１は、ＰＡＴ(Program Association Table)およびＰＭＴ(Program Map Table)等のセクション情報が所定の時間間隔で到来しなかった場合に、ＰＡＴの途絶通知およびＰＭＴの途絶通知を受信不可検出情報として受信不可検出部１０７に通知する。
【００１４】
またデマルチプレクス部１０１は、チューナ部１００からのトランスポートストリームに対して１８８バイト毎に同期バイトの検出を行い、検出されない場合に、その旨の通知（同期ロストの通知）を受信不可検出情報として受信不可検出部１０７に通知する。更にデマルチプレクス部１０１は、トランスポートパケットのヘッダ中に存在する連続性カウンタ値の不連続を検出した際に、その旨の通知（パケットロストの通知）を受信不可検出情報として受信不可検出部１０７に通知する。
【００１５】
またデマルチプレクス部１０１は、チューナ部１００からのトランスポートストリームから、それに含まれる各地域の周波数リストを抽出して周波数リスト取得部１０５に出力（ダウンロード）する。この出力は、例えば、周波数リスト取得部１０５からのその出力の要求があった場合、および周波数リストの内容に更新があった場合に行われる。
【００１６】
映像・音声デコード部１０２は、デマルチプレクス部１０１からの音声・映像パケットを復号し、映像パケットについては映像表示部１０３に出力して映像表示させ、音声パケットについては音声出力部１０４に出力して音声出力させる。
【００１７】
また映像・音声デコード部１０２は、デコードエラーを検出した場合に、エラー通知またはエラー率を受信不可検出情報として受信不可検出部１０７に通知する。
【００１８】
周波数リスト取得部１０５は、デジタル放送に含まれる上記の各地域の周波数リストをデマルチプレクス部１０１経由でダウンロードして、その中の情報を周波数リストデータベース部１０６に格納する。この保存は不揮発性メモリにより行われる。このダウンロードは、周波数リストデータベース部１０６が空であった場合、および周波数リストの内容が更新された場合（例えば送信所が新規追加・廃止された場合、伝送される周波数が変更になった場合）等に行われる。
【００１９】
周波数リストデータベース部１０６に格納される上記の情報には、少なくとも、各系列局（即ち各系列局識別）とそれら各系列局が放送するトランスポートストリーム（即ちトランスポートストリーム識別）との対応関係、および各送信所（即ち各送信所識別）とその送信所から送信されるトランスポートストリームのトランスポートストリーム識別および物理チャンネルとの対応関係が含まれている。
【００２０】
ここでは、より詳細には、周波数リストデータベース部１０６に格納される上記の情報は、図２の様になっている。図中の地域識別は、サービスエリアを示す識別値である。トランスポートストリーム識別は、デジタル放送のトランスポートストリームを識別する識別値であり、それらの識別値は地上波（ＩＳＤＢ−Ｔ）では一般的に放送局単位となっている。系列局識別は、系列局関係にある放送局であることを示すための識別値であり、送信所識別は、トランスポートストリームを送信する送信所を識別する識別値であり、送信所所在地郵便番号は、送信所の存在する地点の郵便番号であり、物理チャンネルは、送信所から送信される当該トランスポートストリームの物理チャンネル番号であり、送信出力は、送信所から出力する際の送信出力値であり、選局優先順位は、同一系列局識別を持つトランスポートストリームが複数存在していた場合にそれらの間の選局順位を示すものである。
【００２１】
図２の様に、周波数リストデータベース部１０６内では、上記の情報は、地域識別毎に関係付けられて保存されている。また上記の情報は、各地域識別の下では、更にトランスポートストリーム識別・系列局識別毎に関係付けられて保存されている。また上記の情報は、各トランスポートストリーム識別・系列局識別の下では、各送信所に関する情報（送信所識別、送信所所在地郵便番号、物理チャンネル、送信出力および選局優先順位）毎に関係付けられて保存されている。
【００２２】
受信不可検出部１０７は、チューナ部１００、デマルチプレスク部１０１および映像・音声デコード部１０２からの上記の受信不可検出情報に基づき、現在受信中の番組が受信不可または受信不可直前（以後、これらの状態をまとめて受信不可と呼ぶ）であるか否かの判定を行い、その判定結果の通知（選局結果通知）を選局制御部１１１に通知すると共に、特に受信不可と判定した場合は、その旨の通知（受信不可検出通知）を受信中送信所特定部１０８に通知する。
【００２３】
この受信不可検出通知では、その際視聴していた番組（トランスポートストリーム）のトランスポートストリーム識別および物理チャンネル等の情報が、受信中送信所特定部１０８に通知される。
【００２４】
選局処理部１１２は、受信不可検出部１０７から上記の受信不可検出通知を取得すると（即ち受信不可検出部１０７が受信不可を検出した場合に）、周波数リストデータベース部１０６に格納された上記の情報（対応関係）を参照して、各系列局が放送しているトランスポートストリーム（番組）のうち、選局中に受信不可になったトランスポートストリームと同じ系列局のトランスポートストリームを優先的にチューナ部１００に選局させるものであり、受信中送信所特定部１０８と、近隣送信所抽出部１０９と、選局制御部１１１とを備えている。
【００２５】
受信中送信所特定部１０８は、受信不可検出部が受信不可を検出した場合に、周波数リストデータベース部１０６を参照し、その受信不可になったトランスポートストリームのトランスポートストリーム識別および物理チャンネルに基づき、その受信不可になったトランスポートストリームを送信していた送信所を特定するものである。
【００２６】
即ち受信中送信所特定部１０８は、受信不可検出部１０７からの上記の受信不可検出通知を取得すると、周波数リストデータベース部１０６に格納された上記の情報を参照し、その受信不可検出通知で通知されたトランスポートストリーム識別および物理チャネルに一致するトランスポートストリーム識別及び物理チャンネルに対応する送信所識別を特定する。
【００２７】
そして受信中送信所特定部１０８は、上記の特定した送信所識別（即ち送信所）を近隣送信所抽出部１０９に受信中送信所情報として通知する。
【００２８】
近隣送信所抽出部１０９は、近隣送信所データベース部１１０を参照して、受信中送信所特定部１０８により特定された送信所の近隣に在る近隣送信所を特定し、それらの中から、上記の受信不可になったトランスポートストリームと同じ系列局のトランスポートストリームを送信する近隣送信所を抽出するものである。
【００２９】
即ち近隣送信所抽出部１０９は、受信中送信所特定部１０８から通知された上記の受信中送信所情報（即ち送信所識別）に対応する送信所所在地郵便番号を周波数リストデータベース部１０６内から取得する。そして近隣送信所抽出部１０９は、近隣送信所データベース１１０を検索し、その取得した送信所所在地郵便番号に対応する地域の近隣地域の郵便番号（以後、近隣地域郵便番号と呼ぶ）を特定する。尚、近隣送信所データベース１１０には、予め、全国の各郵便番号に対応する地域の近隣地域の郵便番号が格納されている。そして近隣送信所抽出部１０９は、周波数リストデータベース部１０６を検索し、その特定した近隣地域郵便番号に対応する送信所識別（即ち受信不可になった番組を送信していた送信所の近隣に在る近隣送信所の送信所識別）を全て特定する。そして近隣送信所抽出部１０９は、周波数リストデータベース部１０６を検索し、その特定した全ての近隣送信所の送信所識別の中から、受信不可になった番組（トランスポートストリーム）のトランスポートストリーム識別と同じ系列局識別に対応するトランスポートストリーム識別に対応しているものを全て抽出する。
【００３０】
そして近隣送信所抽出部１０９は、周波数リストデータベース部１０６を検索し、上記の抽出した近隣送信所の送信所識別の各々に対し、それに対応する上記のトランスポートストリーム識別および系列局識別を用いて、それに対応する送信所に関する情報（物理チャンネル、送信出力、選局優先順位）を特定する。
【００３１】
そして近隣送信所抽出部１０９は、それら送信所識別、トランスポートストリーム識別、系列局識別および送信所に関する情報（物理チャンネル、送信出力、選局優先順位）で特定されるトランスポートストリームを選局候補情報として選局制御部１１１に通知する。
【００３２】
選局制御部１１１は、近隣送信所抽出部１０９により抽出された近隣送信所から送信される当該トランスポートストリーム（受信不能になったトランスポートストリームと同じトランスポートストリーム）をチューナ部１００に選局させるものである。即ち選局制御部１１１は、チューナ部１００に選局指示を通知して、近隣送信所抽出部１０９から通知された上記の選局候補情報のうちの選局優先順位の最も高いもの（最高順位選局候補）を選局させる。
【００３３】
そして選局制御部１１１は、チューナ部１００の選局に伴って受信不可検出部１０７から通知される上記の選局結果通知に基づき、その選局された最高順位選局候補の受信が受信失敗したか否かを判定する。そしてその判定の結果、受信失敗した場合は、選局制御部１１１は、チューナ部１００に選局指示を通知して、上記の選局候補情報内の次順位のもの（次順位選局候補）を選局させる。この様に選局制御部１１１は、選局された選局候補が受信成功するまで上記の選局候補情報内の選局候補を選局優先順位に従って選局させる。
【００３４】
そして上記の判定の結果、選局された選局候補が受信成功した場合は、その選局候補（トランスポートストリーム）を送信している送信所（近隣送信所）の選局優先順位を、同じ系列局識別に対応するトランスポートストリーム識別に対応する送信所識別のうちで最高順位に変更する。以降は、この変更した選局優先順位に従う。
【００３５】
また選局制御部１１１は、上記の選局候補情報内の選局候補を全て選局しても受信成功するものが無い場合は、チューナ部１００に周波数帯域の全範囲をスキャンさせて系列局識別が同じトランスポートストリームを選局させる。
【００３６】
次に図１に基づき上記のデジタル放送受信装置の動作を説明する。
【００３７】
アンテナ１１３でデジタル放送が受信されると、チューナ部１００により、そのデジタル放送の中から所望のトランスポートストリーム（番組）が選局され、デマルチプレクス部１０１により、その選局されたトランスポートストリームから映像パケットおよび音声パケットが抽出され、その映像パケットは、映像・音声デコード部１０２を介して映像表示部１０３に出力されて映像表示され、他方、その音声パケットは、映像・音声デコード部１０２を介して音声出力部１０４に出力され音声出力される。
【００３８】
その際、デマルチプレクス部１０１では、選局されたトランスポートストリームに各地域の周波数リストの更新が含まれる場合、または周波数リスト取得部１０５からの要求（周波数リストのダウンロード要求）があった場合は、その選局されたトランスポートストリームに含まれる各地域の周波数リストを周波数リスト取得部１０５に出力して、周波数リスト取得部にその周波数リスト内の情報を周波数リストデータベース部１０６に格納させる。
【００３９】
またその際、チューナ部１００、デマルチプレスク部１０１および映像・音声デコード部１０２から受信不可検出部１０７に受信不可検出情報が出力されており、受信不可検出部１０７により、その受信不可検出情報に基づき、選局中のトランスポートストリームの受信状態（受信不可か否か）が監視されている。
【００４０】
そして受信不可検出部１０７により受信不可（即ち選局中のトランスポートストリームが受信不可になった事）が検出されると、受信不可検出部１０７から受信中送信所特定部１０８に、その旨の通知（受信不可検出通知：この通知には選局中のトランスポートストリームに関するトランスポートストリーム識別および物理チャンネル等の情報が含まれる）が通知される。
【００４１】
尚、上記の受信不可は、例えば、車両または携帯端末のような移動体にデジタル放送受信装置が搭載された場合において、その移動体が移動することで受信中の放送局のエリア外になることや、地上構造物による影響等で起こる。
【００４２】
そして受信中送信所特定部１０８により、その通知に含まれたトランスポートストリーム識別および物理チャンネル等の情報に基づき、周波数リストデータベース部１０６が参照されて、選局中のトランスポートストリームを送信していた送信所の送信所識別が特定され、その特定結果が受信中送信所情報として近隣送信所抽出部１０９に通知される。
【００４３】
そして近隣送信所抽出部１０９により、その受信中送信所情報に基づき、近隣送信所データベース１１０が参照されて、選局中のトランスポートストリームを送信していた送信所の近隣の送信所（近隣送信所）の送信所識別が特定される。そして、それら近隣送信所の送信所識別のうち、選局中のトランスポートストリームと同じ系列局識別に対応するトランスポートストリーム識別に対応するものが特定される。そして、周波数リストデータベース部１０６が検索され、それら特定された全ての送信所識別の各々に対し、それに対応する上記のトランスポートストリーム識別および系列局識別とに基づき、それに対応する送信所に関する情報（物理チャンネル、送信出力、選局優先順位）が特定され、それら送信所識別、トランスポートストリーム識別、系列局識別および送信所に関する情報（物理チャンネル、送信出力、選局優先順位）で特定されるトランスポートストリームが選局候補情報として選局制御部１１１に通知される。
【００４４】
そしてその通知を受けた選局制御部１１１によりチューナ部１００が制御されて、上記の選局候補情報のうちの選局優先順位の最も高いもの（最高順位選局候補）が選局される。
【００４５】
その際、受信不可検出部１０７により、チューナ部１００から出力される上記の受信不可検出情報に基づき、その選局された最高順位選局候補の受信状態が監視されており、その監視結果が選局結果通知として選局制御部１１１に通知される。
【００４６】
そして選局制御部１１１により、その選局結果通知に基づき、その選局された最高順位選局候補の受信が受信失敗したか否かが判定される。そしてその判定の結果、受信失敗した場合は、チューナ部１００が制御されて、上記の選局候補情報内の次順位のもの（次順位選局候補）が選局される。そして、選局された選局候補が受信成功するまで上記の選局候補情報内の選局候補が選局優先順位に従って選局される。そして、選局された選局候補が受信成功した場合は、その選局候補（トランスポートストリーム）を送信している送信所の選局優先順位が、同一系列局識別に対応するトランスポートストリーム識別に対応する送信所識別のなかで最高順位に変更される。また、上記の選局候補情報内の選局候補を全て選局しても受信成功するものが無い場合は、チューナ部１００が制御されて周波数帯域の全範囲がスキャンされて、当初選局していたトランスポートストリームと同じ系列局識別に対応するトランスポートストリームが選局される。
【００４７】
以上のように構成されたデジタル放送受信装置によれば、選局中のトランスポートストリーム（番組）が受信不可になった場合に、周波数リストデータベース部１０６を参照して、各系列局が放送するトランスポートストリームのうち、その受信不可になったトランスポートストリームと同じ系列局のトランスポートストリームを優先的に選局するので、周波数帯域をスキャンすること無く、受信不可になった番組と同じ番組を短時間で自動的に選局できる。
【００４８】
また、周波数リストデータベース部１０６に格納される当該対応関係は、ダウンロードされることでその内容が更新されるので、送信所の追加、廃止、送信周波数の変更に柔軟に対応できる。
【００４９】
また、選局中のトランスポートストリーム（番組）が受信不可になった場合に、周波数リストデータベース部１０６を参照し、その受信不可になったトランスポートストリームのトランスポートストリーム識別および物理チャンネルに基づき、その受信不可になったトランスポートストリームを送信していた送信所を特定し、近隣送信所データベース部１１０を参照して、その特定した送信所の近隣に在る近隣送信所を特定し、それらの中から、その受信不可になったトランスポートストリームと同じ系列局のトランスポートストリームを送信する近隣送信所を抽出し、その抽出した近隣送信所が送信する当該トランスポートストリームを選局するので、受信不可になった番組と同じ番組を、かなり高い確率で選局できると共に短時間で選局できる。
【００５０】
また、送信所所在地郵便番号から各送信所間の距離をデータベース化した近隣送信所情報を参照して、選局中に受信不可になったトランスポートストリームを送信していた送信所の近隣に在る近隣送信所を特定するので、同じトランスポートストリームを送信している可能性の高い近隣送信所を短時間で特定できる。
【００５１】
また、近隣送信所が複数抽出された場合は、それらの中で選局優先順位の最も高いものが送信する当該トランスポートストリーム（番組）から順に選局されるので、隣接する同一系列局の放送エリア間を移動する場合の様に、受信可能な放送局が頻繁に交互に入れ替わる場合でも、受信不可になった番組と同じ番組を短時間で選局できる。
【００５２】
また、最初に受信できたトランスポートストリームを送信する近隣送信所の選局優先順位を、それら近隣送信所の中で最も高くなる様に変更するので、二回目以降の受信不可時には、受信可能な番組を最初の選局で（即ち短時間で）選局できる。
【図面の簡単な説明】
【００５３】
【図１】実施の形態１に係るデジタル放送受信装置のブロック図である。
【図２】実施の形態１における周波数リストデータベース部に格納される情報の一例を示す図である。
【符号の説明】
【００５４】
１００  チューナ部、１０１  デマルチプレスク部、１０２  映像・音声デコード部、１０３  映像表示部、１０４  音声出力部、１０５  周波数リスト取得部、１０６  周波数リストデータベース部、１０７  受信不可検出部、１０８  受信中送信所特定部、１０９  近隣送信所抽出部、１１０  近隣送信所データベース部、１１１  選局制御部、１１２  選局処理部、１１３  アンテナ。
【図１】
2008288765.tif 000003
【図２】
2008288765.tif 000004